(57)【要約】【課題】  離着席時に邪魔にならず、テーブルの天板を安定して支持することができるとともに、運搬や収納が容易なテーブル付き椅子を提供する。【解決手段】  座１を支持する脚フレーム３の左右いずれかの側部に、天板１２を支持するとともに、下端が接床するテーブルフレーム１３の一部を上下方向を向く枢軸１０ｂをもって枢着し、天板１２が、テーブルフレーム１３とともに、座１の前方に位置する使用位置と、座１の側方に位置する展開位置とに回動しうるようにする。【選択図】  図２
2005230304.tif 000002
【特許請求の範囲】
【請求項１】
座を支持する脚フレームの左右いずれかの側部に、天板を支持するとともに、下端が接床するテーブルフレームの一部を上下方向を向く枢軸をもって枢着し、前記天板が、テーブルフレームとともに、座の前方に位置する使用位置と、座の側方に位置する展開位置とに回動しうるようにしたことを特徴とするテーブル付き椅子。
【請求項２】
テーブルフレームが、床面上を無方向に転動しうるキャスタが下端に設けられた左右１対の脚を有している請求項１記載のテーブル付き椅子。
【請求項３】
天板を、テーブルフレームに、展開位置における左右方向を向く軸まわりに回動可能として枢着し、ほぼ水平をなす倒伏位置と、ほぼ上下方向を向く起立位置とに回動可能とした請求項１または２記載のテーブル付き椅子。
【請求項４】
テーブルフレームが、天板が枢着された左右方向を向く水平杆と、この水平杆の両端より、展開位置としたときの前方に向かって延出し、倒伏位置としたときの天板の下面を受支する左右１対の横杆と、両横杆の前端より垂下し、かつ下端にキャスタが設けられた左右１対の脚杆とを備えている請求項３記載のテーブル付き椅子。
【請求項５】
一方の脚杆から側方に延出するアームの先端部を、脚フレームに上下方向を向く枢軸をもって枢着した請求項４記載のテーブル付き椅子。
【請求項６】
脚フレームの一側部より外側方に向かって延出するアームの先端部において、テーブルフレームを、上下方向を向く枢軸をもって枢着した請求項１〜５のいずれかに記載のテーブル付き椅子。
【請求項７】
座を、脚フレームの後部において左右方向を向く軸をもって枢着し、ほぼ前方を向く使用位置と、ほぼ上方を向く跳ね上げ位置とに回動可能とした請求項１〜６のいずれかに記載のテーブル付き椅子。
【請求項８】
脚フレーム、および展開位置としたときのテーブルフレームと脚フレームとの連結部分を、前方または後方に拡開して、同一形状の複数のテーブル付き椅子を前後方向に重合させたとき、前後に対応するもの同士の一部が互いに嵌合し合うようにした請求項７記載のテーブル付き椅子。
【発明の詳細な説明】
【技術分野】
【０００１】
本発明は、テーブル付き椅子に関する。
【背景技術】
【０００２】
集会室やホール等において、種々の位置に配置され、多数の人に使用される椅子については、メモ書きができる程度の小さな筆記台ではなく、ラップトップパソコン等が置ける程度の大きさのテーブルが付属していれば便利である。しかし、このような大きさのテーブルを単に椅子に固着するのでは、着席と起立の際にテーブルが邪魔になる。
【０００３】
座部の高さが低いソファにおいて、座部下面の低い位置に、水平面上で旋回可能なアームを取付け、アームを旋回させても、腰掛ける人の脚と交差する際には跨げるようにし、さらにこのアームの先端に床面上で回転可能な１本脚のテーブルを取付けることにより、着席と起立の際には、邪魔にならないよう、テーブルを左右に回動でき、かつテーブル自体を水平方向に旋回させることができるようにすることにより、種々の姿勢でパソコン操作等ができるようにしたものが提案されている（特許文献１参照）。
【特許文献１】特許第３１０８７７９号公報
【発明の開示】
【発明が解決しようとする課題】
【０００４】
しかし、特許文献１に記載されているものでは、座部の下方より突出するアームが着座者の邪魔になるとともに、座部の前方を完全に開放することができず、また運搬や収納に不便であり、集会室等において用いるのには適さない。
【０００５】
本発明は、上記事情に鑑み、離着席時に邪魔にならず、テーブルの天板を安定して支持することができるとともに、運搬や収納が容易なテーブル付き椅子を提供することを目的としている。
【課題を解決するための手段】
【０００６】
本発明によると、上記課題は、次のようにして解決される。
(１)座を支持する脚フレームの左右いずれかの側部に、天板を支持するとともに、下端が接床するテーブルフレームの一部を上下方向を向く枢軸をもって枢着し、前記天板が、テーブルフレームとともに、座の前方に位置する使用位置と、座の側方に位置する展開位置とに回動しうるようにする。
【０００７】
(２)上記(１)項において、テーブルフレームが、床面上を無方向に転動しうるキャスタが下端に設けられた左右１対の脚を有するものとする。
【０００８】
(３)上記(１)または(２)項において、天板を、テーブルフレームに、展開位置における左右方向を向く軸まわりに回動可能として枢着し、ほぼ水平をなす倒伏位置と、ほぼ上下方向を向く起立位置とに回動可能とする。
【０００９】
(４)上記(３)項において、テーブルフレームが、天板が枢着された左右方向を向く水平杆と、この水平杆の両端より、展開位置としたときの前方に向かって延出し、倒伏位置としたときの天板の下面を受支する左右１対の横杆と、両横杆の前端より垂下し、かつ下端にキャスタが設けられた左右１対の脚杆とを備えるものとする。
【００１０】
(５)上記(４)項において、一方の脚杆から側方に延出するアームの先端部を、脚フレームに上下方向を向く枢軸をもって枢着する。
【００１１】
(６)上記(１)〜(５)項のいずれかにおいて、脚フレームの一側部より外側方に向かって延出するアームの先端部において、テーブルフレームを、上下方向を向く枢軸をもって枢着する。
【００１２】
(７)上記(１)〜(６)項のいずれかにおいて、座を、脚フレームの後部において左右方向を向く軸をもって枢着し、ほぼ前方を向く使用位置と、ほぼ上方を向く跳ね上げ位置とに回動可能とする。
【００１３】
(８)上記(７)項において、脚フレーム、および展開位置としたときのテーブルフレームと脚フレームとの連結部分を、前方または後方に拡開して、同一形状の複数のテーブル付き椅子を前後方向に重合させたとき、前後に対応するもの同士の一部が互いに嵌合し合うようにする。
【発明の効果】
【００１４】
各請求項に記載されている発明は、それぞれ次のような特有の効果を奏する。
(１)  請求項１：テーブルの天板を、座の前方の使用位置から、座の側方の展開位置まで回動させることにより、座の前方を完全に開放することができ、この状態で、着座者はテーブルに妨げられることなく、自由に離着設することができる。
また、テーブルフレームは、下端が接床しているので、使用位置としたときも、展開位置としたときも、ともに天板を安定して支持することができる。
【００１５】
(２)  請求項２：天板に掛る荷重は、接床している左右１対の脚により受けることができるとともに、脚の倒れは、テーブルフレームが上下方向を向く枢軸をもって、脚フレームに枢着されていることにより防止され、天板を安定して強力に支持することができる。
【００１６】
(３)  請求項３：天板を、展開位置において、起立位置に跳ね上げておくことにより、前後方向の奥行き寸法の小さい収納空間にも収納することができるとともに、複数の同形のテーブル付き椅子を、前後方向に重ねて収納するネスティング収納が可能となる。
【００１７】
(４)  請求項４：テーブルフレームを、１本の管材または棒材を折曲して、簡単かつ安価に製造することができるとともに、天板を安定して支持することができる。
【００１８】
(５)請求項５：テーブルフレームの脚杆を、アームを介して脚フレームに枢着したことにより、天板を、展開時に座から側方に離すことができ、天板が着座者の離着席の妨げとならないようにすることができる。
【００１９】
(６)請求項６：脚フレームの一側部より外側方に延出するアームの先端部において、テーブルフレームを枢着したことにより、天板を、展開時に座から離すことができるとともに、枢軸部分を脚フレームから側方に離すことによって、脚フレームのネスティングを容易に行なえるようにすることができる。
【００２０】
(７)請求項７：座を跳ね上げ位置とすることにより、前後方向の奥行き寸法の小さい収納空間にも椅子を収納することができるとともに、ネスティング収納が可能となる。
【００２１】
(８)請求項８：天板を展開位置とした状態で、座を跳ね上げ位置とすることによりネスティング可能となり、前後方向の奥行き寸法が制限された狭い収納空間内に、多数のテーブル付き椅子を、前後方向に重ねて、コンパクトに収納することができる。
【発明を実施するための最良の形態】
【００２２】
以下、本発明の一実施形態を、図１〜図４を参照して説明する。
図１は、本発明の一実施形態のテーブル使用状態の斜視図、図２は、同じく、テーブルを展開したときの斜視図である。
【００２３】
両図に示すように、このテーブル付き椅子（以下単に椅子という）(Ａ)は、座(１)および背凭れ(２)が、脚フレーム(３)によって支持されている。
【００２４】
脚フレーム(３)は、床面上を無方向に転動可能なキャスタ(４)が下端に設けられた、若干後傾する左右１対の前脚杆(５)(５)と、上記と同様のキャスタ(４)が下端に設けられ、かつ上端より若干下方の部分において、前脚杆(５)(５)の上端が溶接等により固着された、若干前傾する左右１対の後脚杆(６)(６)と、左右の前脚杆(５)(５)の後上部間とその前方の中間部間に架設された左右方向を向く２本の横杆(７)(８)とを備えている。
【００２５】
図２に示すように、脚フレーム(３)における左右の前脚杆(５)(５)と後脚杆(６)(６)との左右方向の間隔は、その前部の間隔(Ｌ1)が後部の間隔(Ｌ2)より小となるように、すなわち、後方に向かって拡開するように形成されている。
【００２６】
座(１)は、その後部下面に設けられた左右１対の軸受金具(９)(９)をもって、左右方向の軸をなす後方の横杆(７)に枢着され、  図１および図２に実線で示すように、その前部下面が前方の横杆(８)に当接して、ほぼ水平をなして前方を向く使用位置と、図２に想像線で示すように、上部が背凭れ(２)の前面に当接して、ほぼ上方を向く跳ね上げ位置とに、横杆(７)を中心として回動可能となっている。
【００２７】
背凭れ(２)は、その両側部に設けられた下方を向く筒部(2a)(2a)に、左右１対の後脚杆(６)(６)の上端部が嵌着されることにより支持されている。
【００２８】
脚フレーム(３)における左右の前脚杆(５)(５)の中間部間に架設した左右方向を向く補強杆(10a)の一端には、一方の前脚杆(５)のやや後上部より、外側方に若干延出した後、斜め前上方を向き、かつ先端部(10b)が真上を向く固定アーム(10)が連設されている。
【００２９】
固定アーム(10)の先端部(10b)は、テーブル(11)を脚フレーム(３)に枢着する上下方向を向く枢軸となっている。
【００３０】
テーブル(11)は、天板(12)と、それを支持するテーブルフレーム(13)とからなっている。
【００３１】
テーブルフレーム(13)は、図２に示すように、天板(12)がテーブルフレーム(13)とともに座(１)の側方に位置する展開位置に位置しているとき、左右方向を向く水平杆(14)と、この水平杆(14)の両端より前方を向く左右１対の横杆(１)(15)と、両横杆(15)(15)の前端より垂下し、かつ下端に上記と同様のキャスタ(４)が設けられた左右１対の脚杆(16)(16)とを備えている。
【００３２】
テーブルフレーム(13)におけるこれらの部材は、鋼管等の管材または棒材を折曲することにより簡単に形成することができる。
【００３３】
天板(12)は、その後部下面に設けられた左右１対の軸受金具(17)をもって、左右方向の軸をなす水平杆(14)に枢着され、図１および図２に実線で示すように、下面が左右の横杆(15)(15)に当接してほぼ水平に支持された倒伏位置と、図２に想像線で示すように、ほぼ上方を向く起立位置とに回動可能となっている。
【００３４】
なお、天板(12)を起立位置において停止させるためのストッパ（図示略）は、  軸受金具(17)内に設けておくのが好ましいが、他の部位に設けてもよい。例えば、水平杆(14)の中間部を下向きＵ字状に折曲して、その後面に天板(12)の下面が当接するようにしてもよい。
【００３５】
図２における右方の脚杆(16)の中間部には、斜め右前方を向く可動アーム(18)の基部が溶接により固着されている。可動アーム(18)の先端部には、上下方向を向く筒体(19)が溶接されており、この筒体(19)を、固定アーム(10)の先端部(10b)に枢嵌することにより、テーブル(11)は、上述の展開位置と、図１に示すように、天板(12)がテーブルフレーム(13)とともに座(１)の前方に位置する使用位置とに回動可能となっている。
【００３６】
テーブル(11)を展開位置としたとき、可動アーム(18)と固定アーム(10)とは、平面視において後方に向かって拡開するＶ字状をなすようにしてある（図４参照）。
【００３７】
図１に示すように、座(１)およびテーブル(11)を使用位置とし、かつ天板(12)を倒伏位置とすることにより、着座者は着座した状態で、天板(12)上にラップトップ型パソコン等（図示略）を載置して、それを使用することができる。
【００３８】
このとき、ラップトップ型パソコン等と天板(12)との荷重は、接床している左右１対の脚杆(16)(16)により安定して受支されるとともに、両脚杆(16)(16)の前後方向への傾倒は、テーブルフレーム(13)が固定アーム(10)の先端部(10b)に枢着されていることにより防止される。
【００３９】
離着席時には、図１の状態から、テーブル(11)を、固定アーム(10)の先端部(10b)を中心として、ほぼ１８０°旋回させ、図２に実線で示す展開位置に位置させる。この状態では、テーブル(11)が座(１)から側方に完全に離れているので、天板(12)やテーブルフレーム(13)が離着席の妨げとなることはない。
【００４０】
また、図２に実線で示す状態から、想像線で示すように、座(１)を跳ね上げ位置まで上向きに回動させ、かつ天板(12)を起立位置とすることにより、椅子(Ａ)の前方の通行の妨げとならないようにすることができる。
【００４１】
さらに、この状態とした複数の椅子(Ａ)を前後方向に重ねることにより、図３および図４に示すようなネスティング収納が可能となる。
【００４２】
この状態では、平面視において後方に向かって拡開する前方の椅子(Ａ)における脚フレーム(３)の前後脚杆(５)(５)(６)(６)間に、後方の椅子(Ａ)における脚フレーム(３)の大部分が嵌合するとともに、前方の椅子(Ａ)における固定アーム(10)の上方および可動アーム(18)の側方に、後方の椅子(Ａ)における固定アーム(10)および可動アーム(18)が、互いに平行をなして近接し、多数の椅子(Ａ)を、前後方向に凝縮して収納することができる。
【００４３】
なお、この例では、テーブルフレーム(13)における横杆(16)(16)の長さを短くしてあるが、これを長くする場合は、ネスティングを考慮して、両横杆(16)(16)が平面視において前方に向かって、ハ字状に拡開するようにしておくのがよい。
【図面の簡単な説明】
【００４４】
【図１】本発明の一実施形態におけるテーブルを使用位置としたときの斜視図である。
【図２】同じく、テーブルを展開位置としたときの斜視図である。
【図３】同じく、テーブルの天板と椅子の座とを跳ね上げ、ネスティングしたときの側面図である。
【図４】同じく、ネスティングしたときの平面図である。
【符号の説明】
【００４５】
(Ａ)テーブル付き椅子
(１)座
(２)背凭れ
(３)脚フレーム
(４)キャスタ
(５)前脚杆
(６)後脚杆
(７)(８)横杆
(９)軸受金具
(10)固定アーム
(10a)補強杆
(10b)先端部（枢軸）
(11)テーブル
(12)天板
(13)テーブルフレーム
(14)水平杆
(15)横杆
(16)脚杆
(17)軸受金具
(18)可動アーム
(19)筒体
【図１】
2005230304.tif 000003
【図２】
2005230304.tif 000004
【図３】
2005230304.tif 000005
【図４】
2005230304.tif 000006